(57)【要約】【課題】コマを回す方法としては、古くから手や紐などが親しまれ愛用されているが、本発明は息吹掛け等の風の力を利用し容易に回せるコマの提供を目的としたものである。【解決手段】スタンド１２にコマ１をセットし羽根３に息を吹掛けて回す。コマ１は、回転体２の下面に回転軸５を、上面に羽根３と心棒４を設け形成。スタンド１２は、台座８に、支柱１０（心棒用穴７付設の保持アーム６の固定用）、くぼみ９（回転軸５の滑り防止用）、コマ保持部１４を設け形成。心棒４の上端を心棒用穴７で保持し、回転軸５の下端をくぼみ９で支持し、コマ１を垂直状に保持。このコマの羽根３に息を吹掛ければコマ１は回り、吹掛けを続ければ回り続ける。台座８の左側を持ち上げスタンド１２を傾ければ、コマ１は右側へ滑り落ち、そこでも回り続ける。台座８を大きくすると保持フレーム６やくぼみ９等が増やせてコマが複数個セット出来、多数のコマの回転を楽しむ事も出来る。【選択図】図１
2010253221.tif 000002
【特許請求の範囲】
【請求項１】
回転体２の下面部に回転軸５を有するコマにおいて、該回転体２の上面部に羽根３を、且つ該上面の中央部に心棒４を垂直状に設ける事を特徴とした風力回転コマ。
【請求項２】
上記風力回転コマを回転させるに際し、上記心棒４の径より少し大きい径の心棒用穴７を設けた保持アーム６を使用し、該保持アーム６の該心棒用穴７に該心棒４を挿入し該風力回転コマを垂直状に保持させ風を吹掛ける事を特徴とした請求項１に記載の風力回転コマ。
【請求項３】
上記風力回転コマを回転させるに際し、上記回転軸５の下部先端が接地する面にくぼみ９を設ける事を特徴とした請求項１及び請求項２に記載の風力回転コマ。
【請求項４】
上記風力回転コマを回転させるに際し、上記保持アーム６装着の支柱１０と上記くぼみ９とを設けて成るスタンド１２を使用する事、並びに、該スタンド１２において、該保持アーム６に設けた上記心棒用穴７と該くぼみ９との間にセットされた該風力回転コマが垂直状に保持される様に該心棒用穴７と該くぼみ９とを設ける事を特徴とした請求項１から請求項３に記載の風力回転コマ。
【請求項５】
上記スタンド１２に上記回転軸５或いは心棒４と嵌め合い可能な大きさの穴を穿ちコマ保持部１４を形成し、該コマ保持部１４に該回転軸５或いは心棒４を挿入し該風力回転コマを保持収納させる事を特徴とした請求項１から請求項４に記載の風力回転コマ。
【請求項６】
上記風力回転コマへ風を吹掛ける為の筒として、吹出し口２０を有する中空状のノズル１９を、一方の端部を閉じた中空の本体筒１６の側面部に、回転自在に嵌め合わせて成る風吹掛け筒１５を使用する事を特徴とした請求項１から請求項５に記載の風力回転コマ。
【発明の詳細な説明】
【技術分野】
【０００１】  本発明は、コマを回す際に手や紐の力ではなく、息吹きかけ等の風の力を利用し回転させる事の出来るコマ、及びその際使用する風吹掛け用の筒に関するものである。
【背景技術】
【０００２】  日本には子供から大人まで親しまれているコマ（独楽）が古くからある。その回す方法としては、手や紐類などが一般的である。最近では、特許文献１の様な「風で回す独楽」も提案されている。このコマは回し方の発想としては確かに斬新であるが、ストロー等の道具が必要な上に、実際にやってみると回すのがなかなか難しい。その回りにくさを改良すれば新規なコマとして親しまれるものと思われる。
【先行技術文献】
【特許文献】
【０００３】
【特許文献１】実用新案登録第３１０２０８５号
【発明の概要】
【発明が解決しようとする課題】
【０００４】  コマを回す方法としては前述の通り手や紐類などが親しまれ愛用されて来ている。また、息等で風を吹掛けその風力を利用する方法も提案されているが、その方法は簡単な様でむずかしく、まだ親しまれたり愛用されたりするまでには至っていない。息を吹掛け回すコマとしては前述の特許文献１の提案がある。これはストローを使用し吹掛けるが、回すにはそれなりの熟練が必要である。その上、ストロー等の筒状の物には使いにくさがある。例えば、吹掛ける時はコマの上方から吹くので、筒状のものではどうしても立った姿勢とか中腰とかになり使い難い。【０００５】  そこで、本発明では、息吹掛けなどの風力で容易に回す事が出来るコマを提供する事と共に、筒状物を使用し風を吹掛ける時に立った姿勢等ではなくもっと楽な姿勢でも吹掛けが出来る筒状吹掛け具、及び使用後のコマ収納時に紛失や破損等を防止する為の方法とを提供する事を目的としたものである。
【課題を解決するための手段】
【０００６】  本発明では、上記の風で回るコマの課題に関しては、回転体２の下面部に回転軸５を有するコマにおいて、その回転体２の上面部に羽根３を、且つその上面の中央部に心棒４を垂直状に設ける方法により解決した。【０００７】  更に、上記風力回転コマを回転させるに際し、上記心棒４の径より少し大きい径の心棒用穴７を設けた保持アーム６を使用し、その保持アーム６の心棒用穴７に心棒４を挿入し風力回転コマを垂直状に保持させ風を吹掛ける方法の工夫によっても解決した。【０００８】  更には、上記風力回転コマを回転させるに際し、上記回転軸５の下部先端が接地する面にくぼみ９を設ける方法の工夫によっても解決した。【０００９】  更には、上記風力回転コマを回転させるに際し、上記保持アーム６装着の支柱１０と上記くぼみ９とを設けて成るスタンド１２を使用する方法、並びに、そのスタンド１２において、保持アーム６に設けた上記心棒用穴７とくぼみ９との間にセットされた風力回転コマが垂直状に保持される様に心棒用穴７とくぼみ９とを設ける方法の工夫によっても解決した。【００１０】  更には、コマ収納時の課題に関しては、上記スタンド１２に上記回転軸５或いは心棒４と嵌め合い可能な大きさの穴を穿ちコマ保持部１４を形成し、そのコマ保持部１４に回転軸５或いは心棒４を挿入し風力回転コマを保持収納させる方法により解決した。【００１１】  更には、上記風力回転コマを回転させる為の風吹掛け用の筒状物の課題に関しては、吹出し口２０を有する中空状のノズル１９を、一方の端部を閉じた中空の本体筒１６の側面部に、回転自在に嵌め合わせて成る風吹掛け筒１５を使用する方法により解決した。
【発明の効果】
【００１２】  課題解決のために羽根や心棒、保持フレーム、くぼみ、台座、スタンド等の工夫をした結果、息などの風を吹掛けると次の様に容易に回す事が出来る様になった。【００１３】  即ち、回転軸と回転体とから成るコマに羽根と心棒の工夫をしたものは、最初に回転を助けておけば、その後は風を吹掛けるだけでコマは回転を維持継続する。更に、これに保持アームを工夫したところ、あらかじめ回転を助けておかなくとも吹掛けだけで回し始める事が出来、その後も回転は吹掛けで持続できる。回転面上にくぼみを設けたところ、回転の安定性はさらに向上した。【００１４】  更に、上記の保持アームやくぼみ等を設けた台座から成るスタンドを使用すれば、コマのスタートアップは更に確実になり、回転も安定し長時間回せるようになった。その台座として手で持てる程度の大きさのものを使用すれば、スタンドは持ち運びや移動などが簡便に出来、いろんな所でコマの回転を楽しむ事が出来る。その際、コマが回転中であってもそのまま持ち運び等出来て便利である。【００１５】  ただ、このままではコマはスタンドで回っているだけであるので、その回っているコマをテーブル等へ移動出来ないか検討したところ、本発明スタンドならその使い方等に工夫をすれば可能である事が分かった。即ち、保持アームの心棒用穴への心棒の差し込み深さやスタンドを傾ける等の工夫により、回転中のコマをスタンドからテーブル等の上にそのまま移動出来、楽しみ方がまた広がった。更に、本スタンドの場合、台座を広くすれば１台のスタンドに複数個のコマをセットできるので、１台のスタンドで多数のコマを同時に回して楽しむ事も出来る。【００１６】  また、コマ収納の課題解決の為にコマ保持部を工夫し形成の結果、回転軸或いは心棒をそのコマ保持部へ挿入嵌め合わせるだけで、コマはスタンドに一体的に保持され極めてコンパクトに収納出来、持ち運びも大変容易に出来るし紛失や破損等の心配もなくなった。【００１７】  更に、息等の吹掛け用の筒の課題解決のために、回転自在に嵌め合い出来るノズルを工夫した結果、立ち姿勢とか中腰とかの疲れる姿勢でなく、座ったり等の楽な姿勢で吹掛け出来る様になった。更には、筒がストロー等の場合、しばらく吹掛けているとその先端から息中の水蒸気の凝縮液がコマの上にポタポタと落下してくるが、本発明の風吹掛け筒ではそうした現象はなく衛生面からも好ましい事が判明した。
【図面の簡単な説明】
【００１８】
【図１】実施例１の本発明の風力回転コマの斜視図。
【図２】実施例１で使用の回転体等の図。
【図３】実施例１で使用の羽根の図。
【図４】実施例１で使用の保持アームの図。
【図５】実施例１で使用の支柱等付設の台座の図。
【図６】実施例３の本発明の風吹掛け筒の斜視図。
【図７】実施例３で使用の本体筒の図。
【図８】実施例３で使用のノズルの図。
【発明を実施するための形態】
【００１９】  回転体２の下面に回転軸５が付き、その回転体２の上面に羽根３を設けたコマの場合、羽根３に向って息等の風を吹掛けるだけで回すのは、例え吹掛け用の補助具を使ったとしてもなかなか難しく、回して楽しむなどはかなりの熟練者でなければとても無理である。そこで、息などの風力で回して楽しめるコマが出来ないかと種々検討の結果、羽根３に加え心棒４や保持アーム６などの工夫により課題を解決するに至った。
【００２０】  回転体２の下面に回転軸５が付いた従来の様なコマの上面に羽根３を設け、更にその上面中央部に心棒４を垂直状に設けコマ１を形成し、それに息を吹掛けてみたが回らなかった。しかし、このコマ１は心棒４の先端部をつまんで回せば回るので、こうしてあらかじめ回しておきこれに息を吹掛けたところ回り続けた。即ち、羽根３と心棒４とを設ける事によって、このように吹掛けしながら回して楽しめるコマが得られた。
【００２１】  この様にあらかじめ回しておき、更にそれに息吹掛けして回し続けるのは、今までのコマにない楽しい遊び方である。しかし、最初から息等の吹掛けだけで回す方法がないかと種々検討の結果、保持アーム６を併用すれば吹掛けだけでも回す事が出来る事を見出した。この保持アーム６には心棒４の径より少し大きめの心棒用穴７を設けておき、この心棒用穴７に心棒４の上端部を挿入しコマ１を垂直状に保持させる。
【００２２】  この垂直状に保持されたコマ１の羽根３へ息等を吹掛けると、あらかじめ回しておかなくともこの吹掛けだけでコマ１は回り始める。吹掛けは息であれば口から直接でも、あるいは筒状の吹掛け補助具を使ってもよく、また回り始めたら吹掛けは断続的に行っても回転は維持されるので楽しく回し続ける事が出来る。
【００２３】  コマは、回り始めたら吹掛けで回転し続けるが、吹掛けの向きや強さなどが変化した時など、接地面上を横移動したりして回転にスムーズさがなくなる時もある。その防止法を種々検討の結果、回転軸５の下部先端が接地する面に凹状のくぼみ９を設ければ、横移動等を防止出来てスムーズに回転を継続維持出来る事を見出し解決に至った。
【００２４】  羽根３、心棒４、保持アーム６、くぼみ９等の工夫により大変スムーズに回る様になったが、保持アーム６を手で保持した場合、手のぶれなどが保持アーム６に伝わり、それがコマ１へと伝わり回転にスムーズさがなくなる時もある。そこで種々検討の結果、保持アーム６を手ではなく動かない固定したもので保持する様にすれば、回転の安定性が一層向上する事が分かった。
【００２５】  例えば、ぶれたりしない安定な板状物等（フラットな面を持つ台座等）に支柱１０を固定し、その固定された支柱１０に保持アーム６を装着固定し、その固定された保持アーム６で心棒４を保持する様にすれば、上述のぶれの心配もなく安定した回転が得られる。
【００２６】  即ち、板状物として台座８を使用し、それに上記の保持アーム６装着の支柱１０とくぼみ９とを設けてスタンド１２を形成し、そのスタンド１２にコマ１をセットし回せば大変安定な回転が得られる。その際、コマ１は垂直状に保持の必要があるので、保持アーム６の心棒用穴７とくぼみ９とは、コマ１を垂直状にセット保持出来るような位置関係に設ける。
【００２７】  その台座８の大きさを手で持てる程度にしておけば、持ち運びも自由で移動用としても好適に使用出来る。更に、回転軸５や心棒４と嵌め合い可能なコマ保持部１４を台座８や支柱１０等に設ければ、回転軸５や心棒４を介してコマ１はスタンドと一体化しコンパクトな形での収納が可能となる。
【００２８】  なお、筒等でコマ１の上方から風を吹掛けて回す場合、どうしても立ち姿勢や中腰等になってしまう為、その改善策について種々検討の結果、吹出し口２０を有するノズル１９を本体筒１６に回転自在に嵌め合い装着すると、吹出し方向が任意の方向に設定出来て、座ったままでも吹掛け可能となった。
以下、実施例に基づき更に本発明について説明する。
【実施例１】
【００２９】  本実施例は風力回転コマ１をスタンド１２にセットし使用の実施例で、図１から図５にその実施例図を示す。図１はスタンド１２にコマ１をセットの斜視図を、図２は心棒４と回転軸５とを設けた回転体２の斜視図（イ）、正面図（ロ）、平面図（ハ）を、図３は羽根３の斜視図（イ）と平面図（ロ）を、図４は保持アーム６の平面図を、図５は支柱１０、くぼみ９、コマ保持部１４を設けた台座８の斜視図（イ）、正面図（ロ）、平面図（ハ）を示す。【００３０】  まず、コマ１とスタンド１２の構成等について説明する。使用材料は羽根３には紙を、フレーム６にはプラスチックを、その他は特記ない限り木を使用した。【００３１】  コマ１は図２の回転体２等と図３の羽根３とを組み合わせて作る。回転体２としては、図２に示す様に、上面及び下面共にフラットで、平面形状が円形のものを使用し、その上面中央部には心棒４を、下面中央部には回転軸５を設けた。心棒４、回転軸５共に丸棒を使用。回転軸５の方は、接地部分が点接触となる様に下部先端を丸く尖らせておく。【００３２】  羽根３としては、図３に示す様に、円形の紙の中心部に心棒４を通す為の心棒用穴７を開け、その心棒用穴７を中心に４枚の扇状の羽根３を垂直状に立ち上がらせ、平面図形状がまんじ（卍）状の形に形成したものを使用した。この心棒用穴７に心棒４を通し、装着部１３の部分を接着剤で回転体２の上面部に装着し図１に示すコマ１を形成させた。【００３３】  本実施例では、回転体２として上面、下面がフラットな円形状のものを使用したが、その他にも例えば上面部や下面部が従来のコマに見られる円錐形状等のふくらみなどを持つものも使用出来るし、また平面形状が円形や正多角形状等の対称性ある形状のものなど、心棒４の上端部をつまんで回した時にスムーズに回転するものであれば使用可能である。【００３４】  本実施例の羽根３は円形の紙から作り回転体に装着したが、その他、例えばプラスチック等を使い回転体２等と一体成型などで一体的に作ってもよいし、或は羽根３の部分のみを作り、それを回転体２に装着してもよい。その羽根３の形状は本実施例の様に扇状でも円形状でも多角形状でもそれらの組み合わせ形状でもよく、また、枚数は２枚以上複数枚であればよい。羽根の並べ方や角度等は本実施例などが好適であるが、羽根に当たった風を受け止めてそれをコマの回転に変換可能なものであれば特に制約はない。【００３５】  スタンド１２は、図４の保持アーム６と図５の台座８等とを組合せて作る。保持アーム６としては、図４に示す様に、細長状のプラスチックシートを使用した。その端部には心棒４の径より少し大き目の心棒用穴７を設けた。なお、保持アーム６として本実施例では上述のものを使用したが、心棒用穴７を設ける事ができ、コマ１を垂直状にセット保持可能であって、コマへの風吹掛けに支障ない形状等のものであれば特に制約はない。【００３６】  台座８としては、図５に示す様に、手で持てる大きさの長方形状の平板を使用し、その面にはくぼみ９、支柱１０、コマ保持部１４を設けた。くぼみ９としては、回転軸５の接地先端部が滑ったりするのを防ぐためのものであるので、回転軸５の径の２倍程度の大きさで、また回転軸５の先端部が納��る程度の深さのくぼみを台座８の右の方に設けた。支柱１０としては角柱を使用し、台座８の左端部に固定した。【００３７】  コマ保持部１４としては、回転軸５或は心棒４の径に合わせた大きさの穴を設け、少なくともそのどちらかを嵌め合い着脱出来る大きさにしておく。なお、コマ保持部１４を設ける場所は、コマ１の回転に支障のない所であれば、台座８でも支柱１０でも、或いはその両方に設けてもよい。本実施例は台座８と支柱１０の両方に設けた例である。【００３８】  この支柱１０の上端面に、図１に示す様に、保持アーム６を金属製のビス１１で固定しスタンド１２を形成。この時、くぼみ９と保持アーム６に設けた心棒用穴７の位置は、図１に示す様に、回転軸５の下端部をくぼみ９で支持し、心棒４の上端部を心棒用穴７で保持しコマ１をセットした際、コマ１が垂直状に保持される様に調整しておく。また、心棒用穴７の高さも、心棒４が羽根３に近づいて回転の妨げにならない様に調整し取り付ける。この様にして形成のスタンド１２にコマ１をセットした斜視図が図１である。【００３９】  図１の様にセットのコマ１は、息等の風を羽根３に吹掛けると回り始める。吹掛けは羽根３の上方からでも側方からでも回る。保持アーム６の効果で吹掛けだけで回り始めるし、更にくぼみ９や支柱１０、スタンド１２等の効果も加わり、吹掛けを続ければ安定して回り続ける。吹掛けは口から直接でも、実施例３に示す風吹掛け筒１５を使用してもよい。【００４０】  スタンド１２はテーブルやフロアなどの上でも使えるし、また小型なので手での持ち運び移動も簡単に出来るので携帯用にも好適である。遊び終わって収納したい時は、台座８や支柱１０に設けたコマ保持部１４にコマ１の回転軸５或いは心棒４を差し込めば、コマ１はスタンド１２と一体化した状態で保持されるので、コンパクトに収納出来て持ち運びも容易となり、また紛失や破損等の心配もない。
【実施例２】
【００４１】  本実施例では、実施例１のコマ１をベースにその使い方等について更に説明する。実施例１では、コマ１はスタンド１２に図１の様にセットし回したが、スタンド１２から外して回す事も出来る。例えば、スタンド１２からコマ１だけ外し、心棒４の上端部を指でつまみフラットな面上で回し、回転が弱まったら上方から息等を吹掛けるとまた元気を取り戻し回り続けるので、吹きながらコマの回転を楽しむことが出来る。【００４２】  また、保持アーム６をスタンド１２から外し、保持アーム６を固定の状態ではなくフリーの状態にし、心棒４をその保持アーム６の心棒用穴７に挿入し、コマ１が垂直状になる様に保持する。この垂直状に保持された状態で息を吹掛けるとコマ１は回り始める。即ち、スタンド１２で固定されていないフリーの状態で保持アーム６を使用しても、吹掛けだけでコマ１は回り始め、勿論吹掛けを続けると回り続ける。【００４３】  この場合、保持アーム６は手で持てるので、回す場所をいろいろと変えて手軽に回転を楽しむ事が出来る。手軽に楽しめるという反面、保持アーム６を手で持ってフラットな面上で回転させるので、吹掛けの強さや向き等でコマ１が動いたり傾いたりし回転に支障をきたす時もある。その防止方法が保持アーム６の固定保持やくぼみ９である。【００４４】  回す場所を変えて手軽に回転を楽しめるという長所を残し、上述の吹掛け時の課題を改善した方法が実施例１に示したスタンド１２使用の方法である。スタンド１２を使用すれば確かにコマ１はしっかりと安定的に回り続けるし、持ち運びも容易に出来る。ただ、スタンド１２の台座８の上だけでの回転に限定される。【００４５】  この台座８の上でのコマ１の回転を、テーブル等の上に移動出来ないかと種々検討の結果、それを可能にすることが出来た。即ち、保持アーム６でコマ１を保持する際に、心棒用穴７への心棒４の上端部の挿入を浅めにし、且つコマ１が安定して回っている時に台座８を次の要領で傾けると可能であることを見出した。【００４６】  台座８の傾け方としては、コマ１が台座８の上でしっかりと回っている時に、例えば、図１でその台座８の右側（コマ側）はそのままに、台座８の左側（支柱側）を約４０度程度持ち上げ傾ける。そうすると、コマ１は回転しつつ台座８から右の方へ滑ってテーブル等の面上に移動し、そこで回り続ける。移動時に回転が弱くなる時があるが、その時は息等を吹掛けるとまたしっかりと回り続ける。従って、このスタンド１２を利用すれば、コマは吹掛けだけで回せ、且つその回転を継続的にテーブルその他のいろいろの所でも楽しむ事が出来る。【００４７】  本実施例で示したコマの使用数は１個だけの例であるが、大きな台座８を使用してくぼみ９や保持アーム６等の数を増せばコマの数も複数個に増やす事が出来、複数個のコマが同時に同じ面上で回転している様子などを楽しむ事も出来る。
【実施例３】
【００４８】  本実施例は、息等を吹掛ける時に使用する風吹掛け筒１５に関する実施例である。図６から図８にその実施例図を示す。図６はその風吹掛け筒１５の斜視図を、図７は本体筒１６の斜視図（イ）と正面図（ロ）を、図８はノズル１９の斜視図（イ）と正面図（ロ）を示す。【００４９】  風吹掛け筒１５は図７の本体筒１６と図８のノズル１９とを嵌め合わせて作る。本体筒１６としては、図７に示す様に、中空の筒の左側端部を閉鎖し、その右側の側面部に中空部まで貫通の円形状の嵌合開口部１８を設けたものを使用する。【００５０】  ノズル１９としては、図８に示す様に、本体筒１６と同様に左側端部を閉鎖し、その右側の側面部に吹出し口２０を設けた中空状の筒を使用した。その時、そのノズル１９の右端部に設ける嵌合挿入部２１は、本体筒１６に設けた嵌合開口部１８に嵌め合い出来て回転可能な大きさや形状に形成しておく。本実施例では、嵌合開口部１８と同じ大きさの中空円筒を使用した。【００５１】  このノズル１９の右端部の嵌合挿入部２１を本体筒１６の嵌合開口部１８に挿入し図６の風吹掛け筒１５を形成する。なお、嵌合部は、ノズル１９が自在に回転出来る様に、接着や固定等せず嵌め合わせたままとしておく。ただし、風吹掛け筒１５を使用時にここから空気漏れがない様に機密に形成しておく。【００５２】  こうして形成の風吹掛け筒１５は、その吹込み口１７を口に当てて息を吹くと、その風が本体筒１６を通りノズル１９の吹出し口２０から吹き出してくる。その吹き出してきた風を羽根３に当ててコマ１を回す。【００５３】  本体筒１６とノズル１９の嵌合部１８，２１は固定等されてなく嵌め合ったままの状態なので、ノズル１９は図６に示す矢印方向へはぐるぐると３６０度自由に回転出来る。従って、その回転を利用すれば風の吹出し方向を下方向や斜め方向等に自由にコントロール出来るので、この風吹掛け筒１５を使用すれば必ずしも立ったりなどの疲れる姿勢ではなく自由な好みの姿勢で吹掛けが出来る。
【符号の説明】
【００５４】    １、コマ
２、回転体
３、羽根
４、心棒
５、回転軸
６、保持アーム
７、心棒用穴
８、台座
９、くぼみ
１０、支柱
１１、ビス
１２、スタンド
１３、装着部
１４、コマ保持部
１５、風吹掛け筒
１６、本体筒
１７、吹込み口
１８、嵌合開口部
１９、ノズル
２０、吹出し口
２１、嵌合挿入部
【図１】
2010253221.tif 000003
【図２】
2010253221.tif 000004
【図３】
2010253221.tif 000005
【図４】
2010253221.tif 000006
【図５】
2010253221.tif 000007
【図６】
2010253221.tif 000008
【図７】
2010253221.tif 000009
【図８】
2010253221.tif 000010